(57)【要約】【課題】流量計のコストダウンを図る。【解決手段】本発明の流量計は、マイクロコンピュータ１を内蔵し、このマイクロコンピュータ１に内蔵されたＲＯＭ３に複数種のガス流量計に共通のデータを格納する。また、マイクロコンピュータ１の外部に書き込み読み出し可能なＥＥＰＲＯＭ１０を接続して、そのＥＥＰＲＯＭ１０に各々ガス流量計に固有の個別データを格納する。そして、マイクロコンピュータ１が、ＥＥＰＲＯＭ１０のデータに基づいて各々ガス流量計の機能を決定した上で、ＲＯＭ３のデータを用いて動作制御及び流量演算を行う。【選択図】　　　図１
2004132891.tif 000002
【特許請求の範囲】
【請求項１】
動作制御及び流量演算のためのマイクロコンピュータを内蔵した流量計において、
前記マイクロコンピュータに内蔵された読み出し専用の第１の不揮発性メモリに複数種の流量計に共通のデータを格納すると共に、前記マイクロコンピュータの外部に書き込み読み出し可能な第２の不揮発性メモリを接続して、当該第２の不揮発性メモリに前記各々流量計に固有の個別データを格納し、前記マイクロコンピュータが、前記第２の不揮発性メモリのデータに基づいて前記各々流量計の機能を決定した上で、前記第１の不揮発性メモリのデータを用いて前記動作制御及び前記流量演算を行うことを特徴とする流量計。
【発明の詳細な説明】
【０００１】
【発明の属する技術分野】
本発明は、例えば病院等の施設において、酸素やその他のガスの流量を計測するのに適した流量計に関する。
【０００２】
【従来の技術】
近年、下記特許文献１や特許文献２等に示されるように、動作制御及び流量演算のためにマイクロコンピュータを内蔵したガス流量計が開発されている。この種のマイクロコンピュータを内蔵したガス流量計では、主に流量を検出するセンサの出力値（温度センサの出力値が含まれる場合もある）に対し、所定の演算ルールを用いた演算処理を施して流量（瞬間流量や積算流量）を求めている。
【０００３】
ところで、ガス流量計は、取り付けられる流路形状や使用する電源のタイプなどによって処理動作（動作仕様）が異なる。従来では、動作仕様の異なる製品の場合、それぞれ専用のプログラムを組み込んだマイクロコンピュータを内蔵させていた。
【０００４】
【特許文献１】
特許第３２５７４８３号公報（第６頁、図２）
【特許文献２】
特開平１１−２８１４２９号公報（第６頁、図７）
【０００５】
【発明が解決しようとする課題】
しかし、動作仕様が若干異なるだけで、製品毎に異なるプログラムを組み込んだマイクロコンピュータを内蔵するのでは、余分なコストがかかるという問題があった。
【０００６】
本発明は、上記事情を考慮し、マイクロコンピュータの共通化を図ることで、コストダウンを可能にした流量計を提供することを目的とする。
【０００７】
【課題を解決するための手段】
本発明の請求項１に記載の流量計は、動作制御及び流量演算のためのマイクロコンピュータを内蔵した流量計において、マイクロコンピュータに内蔵された読み出し専用の第１の不揮発性メモリに複数種の流量計に共通のデータを格納すると共に、マイクロコンピュータの外部に書き込み読み出し可能な第２の不揮発性メモリを接続して、当該第２の不揮発性メモリに各々流量計に固有の個別データを格納し、マイクロコンピュータが、第２の不揮発性メモリのデータに基づいて各々流量計の機能を決定した上で、第１の不揮発性メモリのデータを用いて動作制御及び流量演算を行うことを特徴としている。
【０００８】
【発明の実施の形態】
以下、本発明の流量計の一実施形態を図１に基づいて詳細に説明する。図１は本発明の一実施形態のマイクロコンピュータを内蔵した流量計の電気的構成を示すブロック図である。
【０００９】
このガス流量計の制御部の中心には、動作制御及び流量演算のための手段としてマイクロコンピュータ１が装備されている。マイクロコンピュータ１には、ＣＰＵ２及びＲＯＭ３、ＲＡＭ４が内蔵されている。
読み出し専用の第１の不揮発性メモリであるＲＯＭ３には、動作制御及び流量演算のためのプログラムを含むデータが格納されている。このデータは、複数種類のガス流量計に対して共通化されたものであり、流量センサの制御から瞬間流量の演算までの処理を行うコアプログラムを含んでいる。
【００１０】
また、マイクロコンピュータ１には、インターフェース５を介してセンサ６が接続されている。この場合のセンサ６としては、先ずガス流量に応じた出力を発生する流量センサが接続され、その他に温度センサや、必要に応じてガスセンサ等が接続されている。
【００１１】
更に、マイクロコンピュータ１には、外部と通信するための通信部７、流量演算結果等を表示するための表示部８、表示切替等を指示するための入力操作部９が接続されている。また、ガス流量の演算に必要な個別データを格納する読み出し及び書き込み可能なＥＥＰＲＯＭ（第２の不揮発性メモリ）１０が接続されている。
【００１２】
ＥＥＰＲＯＭ１０には、外部通信によって各機種固有の個別データが書き込まれており、マイクロコンピュータ１は、電源がＯＮされると、最初にＥＥＰＲＯＭ１０のデータを読み込んで、そのデータに基づいて当該ガス流量計の動作仕様（機能）を決定し、その上でＲＯＭ３のデータに従って動作制御や流量演算を行う。
【００１３】
マイクロコンピュータ１がＥＥＰＲＯＭ１０から読み込むデータ（項目）としては、例えば、製品ＩＤデータ、電源タイプの判定データ、異ガス判定データ、流量オーバー判定データ等がある。
（１）製品ＩＤデータは、製品固有の動作を指令するためのデータであり、このデータにより流量センサの出力のサンプリング間隔等を設定する。
（２）電源タイプの判定データは、電源タイプがＡＣかＤＣかを決め、ＤＣの場合は、電池電圧低下判定のための判定値を設定するものである。
（３）異ガス判定データは、異ガス判定実施の有無と判定値を設定するものである。
（４）流量オーバー判定データは、流量オーバー判定の有無と判定値を設定するものである。
【００１４】
ここで、流量オーバー判定データは、ガス流量計の瞬時流量計測範囲の種類に応じて設定される。瞬時流量範囲の例としては、例えば、
（ａ）２リットル／分　〜　５００リットル／分
（ｂ）２リットル／分　〜　１０００リットル／分
（ｃ）０．２リットル／分　〜　６０リットル／分
（ｄ）０．２リットル／分　〜　２０リットル／分
などがある。
【００１５】
このガス流量計は、以上のようにマイクロコンピュータ１のＲＯＭ３には、コアプログラムを含む多種のガス流量計に共通のデータだけを格納し、各ガス流量計に個別のデータは、マイクロコンピュータ１とは別に装備したＥＥＰＲＯＭ１０に後から書き込んで提供するようにしているので、ＥＥＰＲＯＭ１０に書き込むデータを異ならせることで、マイクロコンピュータ１を共通仕様としながら、各機種毎の複数の動作仕様を実現できる。
【００１６】
【発明の効果】
以上説明したように本発明の流量計によれば、マイクロコンピュータの共通化を図りながら、個別の動作仕様を実現し得るようにしているので、コストダウンを図ることができる。
【図面の簡単な説明】
【図１】本発明の一実施形態のマイクロコンピュータを内蔵したガス流量計の電気的構成を示すブロック図である。
【符号の説明】
１　マイクロコンピュータ
３　ＲＯＭ（第１の不揮発性メモリ）
１０　ＥＥＰＲＯＭ（第２の不揮発性メモリ）
【図１】
2004132891.tif 000003